(57)【要約】【課題】配管の接続方向からのＣリングの視認性を向上させ、浴槽用循環具の接続部に対する往き配管及び戻り配管の接続を正確に行うことができる配管接続部材を提供する。【解決手段】配管接続部材は、浴槽の側壁に取付けられる浴槽用循環具１１の一対の接続部４と、給湯器の一対の連結部とが給湯器から加熱水を送り出す往き配管５及び給湯器へ浴槽水を戻す戻り配管６で接続され、加熱水と浴槽水とが一定方向へ循環されるように構成されている。接続部４における配管接続側端部には面取り部７２を有するキャップ６０が設けられ、該キャップ６０の面取り部７２より内端側にはＣリング１０ｂの装着溝７３が設けられ、該装着溝７３には往き又は戻りであることを色で示すＣリング１０ｂが装着され、接続部４に対して配管の接続方向から見て面取り部７２の部分を介してＣリング１０ｂを視認できるように構成されている。【選択図】図１
2011185585.tif 000002
【特許請求の範囲】
【請求項１】
浴槽の側壁に貫通された状態で取付けられる浴槽用循環具の一対の接続部と、浴槽の外部に位置する給湯器の一対の連結部とが給湯器から加熱水を送り出す往き配管及び給湯器へ浴槽水を戻す戻り配管で接続され、加熱水と浴槽水とが一定方向へ循環されるように構成するための配管接続部材であって、
前記浴槽用循環具の一対の接続部の少なくとも一方、給湯器の一対の連結部の少なくとも一方、さらには往き配管及び戻り配管の少なくとも一方には、往き又は戻りであることを示す表示部を備えるとともに、前記接続部における配管接続側端部には面取り部を有するねじ部材が設けられ、該ねじ部材の面取り部より内端側にはＣリングの装着溝が設けられ、該Ｃリングの装着溝には往き又は戻りであることを色で示すＣリングが装着され、接続部に対して配管の接続方向から見て面取り部の部分を介してＣリングを視認できるように構成されていることを特徴とする配管接続部材。
【請求項２】
前記ねじ部材の面取り部は少なくとも２面存在し、Ｃリングはその周方向の長さが少なくとも１つの面取り部の部分に位置する長さに設定されるとともに、径方向の長さが面取り部よりも長くなるように設定されていることを特徴とする請求項１に記載の配管接続部材。
【請求項３】
前記接続部は、その軸線方向が浴槽用循環具の軸線方向と直交するように構成されている請求項１又は請求項２に記載の配管接続部材。
【請求項４】
前記接続部は、その軸線方向が浴槽用循環具の軸線方向と一致するように構成されている請求項１又は請求項２に記載の配管接続部材。
【請求項５】
前記Ｃリングは合成樹脂で変形可能に形成され、往きであることを示す場合には赤色に着色され、戻りであることを示す場合には青色に着色されていることを特徴とする請求項１から請求項４のいずれか１項に記載の配管接続部材。
【発明の詳細な説明】
【技術分野】
【０００１】
本発明は、浴槽の側壁に取付けられる浴槽用循環具の一対の接続部と、給湯器の一対の連結部とが、給湯器から加熱水が送り出される往き配管及び給湯器へ浴槽水が戻る戻り配管で接続され、加熱水と浴槽水とが一定方向へ循環されるように構成するための配管接続部材に関するものである。
【背景技術】
【０００２】
この種の浴槽用循環具としては、いわゆる有極性のものと無極性のものとが知られている。有極性の浴槽用循環具は、施工時に給湯器の往き配管を浴槽用循環具の往き側接続口に接続し、給湯器の戻り配管を浴槽用循環具の戻り側接続口に接続しなければならないタイプのものである。一方、無極性の浴槽用循環具は、給湯器の往き配管及び戻り配管を浴槽用循環具の往き側及び戻り側のどちらに接続しても浴槽水の循環ができるタイプのものである。
【０００３】
有極性の浴槽用循環具では、その一対の配管接続（屋内側）と給湯器の一対の配管接続（屋外側）とが異なる時期に行われる場合や、浴槽用循環具の一対の配管接続（屋内側）と給湯器の一対の配管接続（屋外側）とを行う施工者が異なる場合等には、往き配管と戻り配管との接続を互い違いに接続してしまうおそれがある。仮に、往き配管の接続と戻り配管の接続を逆にした場合には、浴槽内の浴槽水の温度が所定の温度まで上昇しなかったり、所定の温度まで上昇する時間が極端に長くなったりするという問題があった。このため、往き配管及び戻り配管の施工に際してそれらの接続を間違えることのない構造が求められている。
【０００４】
そこで、本発明者は既に浴槽用循環具の一対の接続部、給湯器の一対の連結部並びに往き配管及び戻り配管に往き又は戻りであることを示す表示部を備える配管接続部材を提案した（特許文献１を参照）。この配管接続部材を用いることにより、給湯器の連結部及び浴槽用循環具の接続部に対する往き配管及び戻り配管の接続を正確に行うことができる。
【先行技術文献】
【特許文献】
【０００５】
【特許文献１】特開２００９−２２８９６３号公報
【発明の概要】
【発明が解決しようとする課題】
【０００６】
前記特許文献１に記載の配管接続部材では、具体的には接続部に用いられる表示部として赤色と青色に着色された一対のＣリングを使用し、赤色に着色されたＣリングが往き側接続部の環状溝に装着され、青色に着色されたＣリングが戻り側接続部の環状溝に装着される。ところが、往き配管及び戻り配管を接続部に接続する場合には、配管の接続方向から接続部を見ながら行うことから、接続部に装着されているＣリングは接続部の外周に極わずかに見えるに過ぎず、非常に見づらい。すなわち、接続部の環状溝より外端側には円環状をなす環状突条が設けられているため、配管の接続方向から接続部を見たときＣリングがその環状突条に隠蔽されて視認され難い。その結果、接続部に対する往き配管及び戻り配管の接続を間違えるおそれがあるという問題があった。
【０００７】
そこで本発明の目的とするところは、配管の接続方向からのＣリングの視認性を向上させ、浴槽用循環具の接続部に対する往き配管及び戻り配管の接続を正確に行うことができる配管接続部材を提供することにある。
【課題を解決するための手段】
【０００８】
上記の目的を達成するために、請求項１に係る発明の配管接続部材は、浴槽の側壁に貫通された状態で取付けられる浴槽用循環具の一対の接続部と、浴槽の外部に位置する給湯器の一対の連結部とが給湯器から加熱水を送り出す往き配管及び給湯器へ浴槽水を戻す戻り配管で接続され、加熱水と浴槽水とが一定方向へ循環されるように構成するためのものである。そして、前記浴槽用循環具の一対の接続部の少なくとも一方、給湯器の一対の連結部の少なくとも一方、さらには往き配管及び戻り配管の少なくとも一方には、往き又は戻りであることを示す表示部を備えるとともに、前記接続部における配管接続側端部には面取り部を有するねじ部材が設けられ、該ねじ部材の面取り部より内端側にはＣリングの装着溝が設けられ、該Ｃリングの装着溝には往き又は戻りであることを色で示すＣリングが装着され、接続部に対して配管の接続方向から見て面取り部の部分を介してＣリングを視認できるように構成されていることを特徴とする。
【０００９】
請求項２に係る配管接続部材は、請求項１において、前記ねじ部材の面取り部は少なくとも２面存在し、Ｃリングはその周方向の長さが少なくとも１つの面取り部の部分に位置する長さに設定されるとともに、径方向の長さが面取り部よりも長くなるように設定されていることを特徴とする。
【００１０】
請求項３に係る配管接続部材は、請求項１又は請求項２において、前記接続部は、その軸線方向が浴槽用循環具の軸線方向と直交するように構成されている。
請求項４に係る配管接続部材は、請求項１又は請求項２において、前記接続部は、その軸線方向が浴槽用循環具の軸線方向と一致するように構成されている。
【００１１】
請求項５に係る配管接続部材は、請求項１から請求項４のいずれか１項に係る発明において、前記Ｃリングは合成樹脂で変形可能に形成され、往きであることを示す場合には赤色に着色され、戻りであることを示す場合には青色に着色されていることを特徴とする。
【発明の効果】
【００１２】
本発明によれば、次のような効果を発揮することができる。
請求項１に係る配管接続部材においては、浴槽用循環具の一対の接続部の少なくとも一方、給湯器の一対の連結部の少なくとも一方、さらには往き配管及び戻り配管の少なくとも一方には、往き又は戻りであることを示す表示部を備えている。さらに、接続部における配管接続側端部には面取り部を有するねじ部材が設けられ、該ねじ部材の面取り部より内端側にはＣリングの装着溝が設けられ、該Ｃリングの装着溝には往き又は戻りであることを色で示すＣリングが装着されている。
【００１３】
このため、往き配管及び戻り配管を浴槽用循環具の接続部に対して接続する場合、配管の接続方向から見て面取り部の部分を介してＣリングを視認することができる。そして、Ｃリングの色を確認して往き又は戻りであることを認識した後、往き配管を往き側接続部に接続し、戻り配管を戻り側接続部に接続することができる。
【００１４】
従って、本発明の配管接続部材によれば、配管の接続方向からのＣリングの視認性を向上させ、浴槽用循環具の接続部に対する往き配管及び戻り配管の接続を正確に行うことができる。
【図面の簡単な説明】
【００１５】
【図１】（ａ）は本発明の第１実施形態における浴槽用循環具を示す正面図、（ｂ）は浴槽用循環具を示す左側面図、（ｃ）はＣリングを示す正面図及び（ｄ）は往き側接続部の継手を示す部分破断正面図。
【図２】（ａ）は浴槽用循環具の接続部としての継手にＣリングを装着した状態を示す半縦断面図、（ｂ）はその継手を示す右側面図。
【図３】給湯器、連結部、浴槽、浴槽用循環具及びそれらを接続する配管を示す斜視図。
【図４】（ａ）は浴槽用循環具を分解して示す要部破断正面図、（ｂ）は浴槽用循環具の組付け状態を示す要部破断正面図。
【図５】（ａ）は給湯器の戻り側連結部を示す部分破断正面図、（ｂ）は往き側連結部を示す部分破断正面図。
【図６】（ａ）は本発明の第２実施形態における浴槽用循環具を示す正面図、（ｂ）は浴槽用循環具を示す平面図。
【図７】給湯器、連結部、浴槽、浴槽用循環具及びそれらを接続する配管を示す斜視図。
【発明を実施するための形態】
【００１６】
（第１実施形態）
以下、本発明を具体化した第１実施形態を図１〜図５に基づいて詳細に説明する。
図３に示すように、浴室１を形成する仕切壁２より内側には浴槽３が配設され、その浴槽３の側壁１２には浴槽用循環具１１が取着されるとともに、該浴槽用循環具１１の接続部４として一対の往き側接続部４ａ及び戻り側接続部４ｂには往き配管５及び戻り配管６がそれぞれ接続されている。仕切壁２の外面には給湯器７が取付けられ、該給湯器７の底面には連結部８として一対の往き側連結部８ａ及び戻り側連結部８ｂが設けられるとともに、これら往き側連結部８ａ及び戻り側連結部８ｂには往き配管５及び戻り配管６が接続されている。
【００１７】
そして、給湯器７で加熱された加熱水は往き側連結部８ａを介して往き配管５から浴槽用循環具１１の往き側接続部４ａを介して浴槽３内へ供給される。浴槽３内の浴槽水は浴槽用循環具１１の戻り側接続部４ｂを介して戻り配管６から給湯器７の戻り側連結部８ｂを経て給湯器７へ戻されるように構成されている。配管接続部材は、これら往き側接続部４ａと戻り側接続部４ｂからなる接続部４、往き側連結部８ａと戻り側連結部８ｂからなる連結部８及び往き配管５と戻り配管６からなる配管により構成されている。
【００１８】
図１（ａ）に示すように、往き側接続部４ａ及び戻り側接続部４ｂは、それらの軸線方向７１が浴槽用循環具の軸線方向（水平方向）７０と直交する方向（鉛直方向）に延びるように構成されている。そして、浴槽用循環具１１の一対の往き側接続部４ａ及び戻り側接続部４ｂの少なくとも一方、給湯器７の一対の往き側連結部８ａ及び戻り側連結部８ｂの少なくとも一方、さらには往き配管５及び戻り配管６の少なくとも一方には、往き又は戻りであることを示す表示部１０が設けられる。
【００１９】
次に、前記浴槽用循環具１１について説明する。図４（ａ）及び（ｂ）に示すように、浴槽用循環具１１は、浴槽３の側壁１２に設けられた貫通孔１３に内側から挿入される締付筒体１４と、側壁１２の外部に配設される外部筒体１５と、締付筒体１４に挿入固定されるアダプター１６と、該アダプター１６に装着されるフィルターカバー１７とを備えている。浴槽用循環具１１は有極性のものであり、給湯器７からの往き配管５及び給湯器７への戻り配管６と、浴槽用循環具１１の外部筒体１５に設けられた往き側接続部４ａ及び戻り側接続部４ｂとが各々接続されるようになっている。
【００２０】
往き側接続部４ａ及び戻り側接続部４ｂは、それぞれ浴槽用循環具１１の外部筒体１５に一体形成された継手４ｃと、その継手４ｃに螺合されるねじ部材としてのキャップ６０とより構成されている。往き側接続部４ａの継手４ｃは吐出用開口部３８に連通する接続口２２に接続され、戻り側接続部４ｂの継手４ｃは吸入用開口部３７に連通する接続口２０にそれぞれ接続されている。
【００２１】
前記接続口２２の内周には、Ｏリング２４が嵌め込まれている。外部筒体１５の開口端部内周面には雌ねじ部２５が螺刻されている。外部筒体１５の開口端部にはフランジ部２６が設けられるとともに、そのフランジ部２６にはシール材２７が被せられ、側壁１２の外側面との間の水密が確保されている。かかる外部筒体１５は黄銅などの金属又はポリフェニレンサルファイド（ＰＰＳ）等の合成樹脂で形成されている。
【００２２】
締付筒体１４はポリアセタール等の合成樹脂により円筒状に形成され、その前端部（図４（ａ）の右端部）にはフランジ２８が突設されている。締付筒体１４の外周面には雄ねじ部２９が螺刻され、その雄ねじ部２９が外部筒体１５の雌ねじ部２５に螺合され、締付筒体１４と外部筒体１５とが浴槽３の側壁１２を挟んで連結固定されるようになっている。締付筒体１４の内周面には軸線方向７０に延びる複数の回り止め突条３０が設けられている。フランジ２８の外周面には環状係合溝３１が凹設されている。該フランジ２８と側壁１２の内側面との間にはゴム製のパッキン３２が挟着され、両者間の水密が保たれている。
【００２３】
アダプター１６はポリアセタール等の合成樹脂により略円筒状に形成され、その前端部内周面には周方向に延びる図示しない抜け防止爪が突設され、締付筒体１４の環状係合溝３１に係合されるようになっている。アダプター１６の中心部には、外部筒体１５の中心部に設けられた接続口２２に接続される吐出用通路３４が設けられ、その周囲には外部筒体１５の接続口２０に接続される吸入用通路３５が設けられている。これらの吸入用通路３５と吐出用通路３４との間には、水の流れを仕切る区画壁３６が設けられている。吸入用通路３５の前方には吸入用開口部３７が設けられるとともに、吐出用通路３４の前方にはその方向が９０度変更された吐出用開口部３８が設けられている。アダプター１６の前部には位置決め用の係合突条４０が周方向に複数設けられ、締付筒体１４の回り止め突条３０に係合してアダプター１６の周方向への回転が規制されている。
【００２４】
前記アダプター１６の前部にはステンレス鋼製のフィルターカバー１７が装着されている。フィルターカバー１７は有底円筒状をなし、多数の流通孔を有する前面板４５と、その周囲から後方へ延びる周壁板４６とより一体形成されている。周壁板４６の内周面には３箇所にほぼ半球状をなす係合突起４３が突設され、アダプター１６に位置合せして嵌め込んでからフィルターカバー１７を周方向に回動させ、フィルターカバー１７をアダプター１６に係合させるように構成されている。フィルターカバー１７の周壁板４６には図示しない挿通孔が開口され、アダプター１６の吐出用開口部３８に連通されている。
【００２５】
前記継手４ｃ及びその継手４ｃに螺合されるキャップ６０について説明する。図１（ｄ）に示すように、継手本体５１内には往き配管５又は戻り配管６が差し込まれる差込孔５２が形成されるとともに、継手本体５１の下端部外周側には係合筒部５３が下方に突出形成されている。継手本体５１の内周面には一対の環状溝５４が凹設され、これら環状溝５４にはそれぞれＯリング５５が嵌着されている。そして、両Ｏリング５５によって継手本体５１の差込孔５２に差し込まれた往き配管５又は戻り配管６と継手本体５１の内周面との間の水密性が保持されるようになっている。なお、往き配管５又は戻り配管６の端部には、インコア５６が内挿されている。
【００２６】
前記係合筒部５３の内周面には、内奥部から順に開口部側ほど拡径するテーパ面５７及びその開口部側の係止段部が設けられるとともに、開口端部には雌ねじ溝５８が形成されている。該雌ねじ溝５８には、外周面に雄ねじ溝５９を有するキャップ６０が螺合されている。前記係止段部とキャップ６０の内端面との間には、ステンレス鋼等の金属で形成された一対の抜け止めリング６１がスペーサの両側に介装されている。これら抜け止めリング６１の内周部にはそれぞれ抜け止め片６１ａが斜め方向（図１（ｄ）の斜め上方向）に突出形成され、差込孔５２に差し込まれた往き配管５又は戻り配管６の外周面に食い込んで往き配管５又は戻り配管６の抜け止めを行うようになっている。
【００２７】
図２（ａ），（ｂ）に示すように、キャップ６０の外端部は側面正六角形状に形成され、面取り部７２が６面形成されている。この面取り部７２には、キャップ６０を継手本体５１に螺合する際に締付具が係合される。該面取り部７２の内端側の隣接位置には円環状をなす装着溝７３が穿設され、その装着溝７３には円弧状をなすＣリング１０ｂが嵌着されている。該Ｃリング１０ｂは、装着溝７３の円に相当する円弧を有し、円環のほぼ４分の３の長さに形成されている。このＣリング１０ｂは、ポリプロピレン、ポリアセタール等の合成樹脂により変形可能に構成され、装着溝への装着を簡単に行うことができるようになっている。Ｃリング１０ｂはその周方向の長さが少なくとも１つの面取り部７２の部分に位置する長さに設定され、径方向の長さが面取り部７２よりも長くなるように設定される。かかる構成により、図２（ｂ）に示すように接続部４に対して側方（配管の接続方向）からＣリング１０ｂを良好に視認できるようになっている。
【００２８】
図１（ａ），（ｂ）に示すように、往き側接続部４ａに装着されるＣリング１０ｂは往きであることを示す赤色に着色され、戻り側接続部４ｂに装着されるＣリング１０ｂは戻りであることを示す青色に着色されている。往き側接続部４ａの継手４ｃには表示部１０として〇付きの往の文字１０ａが描かれている一方、戻り側接続部４ｂの継手４ｃには表示部１０として〇付きの戻の文字１０ａが描かれている。また、往き側接続部４ａの継手４ｃに接続される往き配管５の外周面には、表示部１０として配管の長さ方向に延びる赤色の線（ライン）１０ｃと「イキ」の文字１０ａが描かれている。一方、戻り側接続部４ｂの継手４ｃに接続される戻り配管６の外周面には、表示部１０として配管の長さ方向に延びる青色の線１０ｃと「モドリ」の文字１０ａが描かれている。往き配管５及び戻り配管６は、架橋ポリエチレン、ポリブテン等の合成樹脂により形成されている。
【００２９】
図１（ａ）の二点鎖線に示すように、接続部４に配管を接続する場合、浴槽用循環具１１の軸線方向７０には仕切壁２等の障害物７４があるため、浴槽用循環具１１の軸線方向７０からＣリング１０ｂを視認することは難しく、浴槽用循環具１１の軸線方向７０と直交する方向すなわち配管の接続方向から見る必要がある。配管の接続方向からは、前記文字１０ａを見ることはできない。
【００３０】
浴槽用循環具１１を浴槽の側壁１２に取付固定する場合には、図４（ｂ）に示すように、浴槽３の側壁１２に設けられた貫通孔１３に内側から締付筒体１４をパッキン３２を嵌挿した状態で挿通し、その雄ねじ部２９を側壁１２の外側に配設された外部筒体１５の雌ねじ部２５に螺合して締付け固定する。次いで、アダプター１６の吸入用通路３５を締付筒体１４内に挿入するようにしてアダプター１６の抜け防止爪を締付筒体１４の環状係合溝３１に係合させる。このようにして、吸入用通路３５が外部筒体１５の接続口２０を介して戻り側接続部４ｂに接続されるとともに、吐出用通路３４が外部筒体１５の接続口２２を介して往き側接続部４ａに接続される。
【００３１】
続いて、フィルターカバー１７をアダプター１６に固定することにより、浴槽用循環具１１が図４（ｂ）に示すように構成される。そして、図１（ｂ）に示すように、戻り側接続部４ｂの継手４ｃに戻り配管６を、往き側接続部４ａの継手４ｃに往き配管５をそれぞれ接続する。その状態で、図３及び図４（ｂ）に示すように、給湯器７を作動させると、浴槽３内の浴槽水はフィルターカバー１７の前面から吸い込まれ、吸入用開口部３７を通って吸入用通路３５から接続口２０へ流れ、さらに戻り側接続部４ｂ、戻り配管６及び戻り側連結部８ｂを経て給湯器７へと流れる。給湯器７で加熱された加熱水は往き側連結部８ａ及び往き配管５から往き側接続部４ａへ流れ、さらに接続口２２及び吐出用通路３４を介して吐出用開口部３８から浴槽３内へ吐出される。
【００３２】
次に、給湯器７の連結部８、戻り側連結部８ｂを構成する連結部本体８ｃ及びその連結部本体８ｃに螺合される継手８ｄについて説明する。なお、この継手８ｄにおいては、前記浴槽用循環具１１の接続部４を構成する継手４ｃと同じ部分に関しては同じ符号を付し、主たる部分について説明する。図５（ａ）に示すように、給湯器７の底面には円筒状をなす連結部本体８ｃが下方へ突設され、その外周面には雄ねじ６３が螺刻されている。一方、継手８ｄの上端部外周面にも雄ねじ部６４が螺刻されている。そして、連結部本体８ｃの下端面と継手８ｄの上端面とがパッキン６５を介して突き合わせた状態で、ナット６２の雌ねじ６６が連結部本体８ｃの雄ねじ６３及び継手８ｄの雄ねじ部６４に螺合されることにより、連結部本体８ｃに継手８ｄが取付けられる。
【００３３】
前記ナット６２の外周面には表示部１０として〇付きの戻の文字１０ａが描かれているとともに、継手本体５１外周の環状凹部５１ａには図１（ｃ）に示すような青色に着色されたＣリング１０ｂが装着されている。さらに、戻り側連結部８ｂの継手８ｄに接続される戻り配管６の外周面には、表示部１０として配管の長さ方向に延びる青色の線１０ｃと「モドリ」の文字１０ａが描かれている。
【００３４】
一方、図５（ｂ）に示すように、往き側連結部８ａを構成する連結部本体８ｃ及びその連結部本体８ｃに螺合される継手８ｄの構造は前記戻り側連結部８ｂに螺合される継手８ｄの構造と同じである。ナット６２の外周面には表示部１０として〇付きの往の文字１０ａが描かれているとともに、継手本体５１外周の環状凹部５１ａには赤色に着色されたＣリング１０ｂが装着されている。さらに、往き側連結部８ａの継手８ｄに接続される合成樹脂製の往き配管５の外周面には、表示部１０として配管の長さ方向に延びる赤色の線１０ｃと「イキ」の文字１０ａが描かれている。
【００３５】
次に、本実施形態の配管接続部材について作用を説明する。
さて、往き配管５及び戻り配管６を給湯器７の往き側連結部８ａ及び戻り側連結部８ｂに接続する場合には、図５（ａ），（ｂ）に示すように、往き配管５を往き側連結部８ａの差込孔５２に差し込み、戻り配管６を戻り側連結部８ｂの差込孔５２に差し込む。このとき、往き配管５にはイキの文字１０ａと赤色の線１０ｃ、戻り配管６にはモドリの文字１０ａと青色の線１０ｃが描かれている。さらに、往き側連結部８ａにおけるナット６２の外周面には〇に往の文字１０ａと継手８ｄには赤色のＣリング１０ｂ、戻り側連結部８ｂにおけるナット６２の外周面には〇に戻の文字１０ａと継手８ｄには青色のＣリング１０ｂとが設けられている。従って、それらの表示部１０を明瞭に視認することができ、往き配管５を往き側連結部８ａの差込孔５２に間違いなく差し込むことができると同時に、戻り配管６を戻り側連結部８ｂの差込孔５２に間違いなく差し込むことができる。
【００３６】
一方、往き配管５及び戻り配管６を浴槽用循環具１１の往き側接続部４ａ及び戻り側接続部４ｂに接続する場合には、図１（ｂ）及び（ｄ）に示すように、往き配管５を往き側接続部４ａの差込孔５２に差し込み、戻り配管６を戻り側接続部４ｂの差込孔５２に差し込む。この場合、往き配管５にはイキの文字１０ａと赤色の線１０ｃ、戻り配管６にはモドリの文字１０ａと青色の線１０ｃが描かれている。さらに、往き側接続部４ａを構成するキャップ６０の装着溝７３には赤色のＣリング１０ｂが装着されるとともに、戻り側接続部４ｂを構成するキャップ６０の装着溝７３には青色のＣリング１０ｂが装着されている。
【００３７】
このため、図２（ｂ）に示すように、往き側接続部４ａに対して往き配管５の接続方向から継手４ｃを見たとき、又は戻り側接続部４ｂに対して戻り配管６の接続方向から継手４ｃを見たとき、キャップ６０の面取り部７２の部分で露出したＣリング１０ｂを良好に視認することができる。従って、往き配管５を往き側接続部４ａの差込孔５２に間違いなく差し込むことができると同時に、戻り配管６を戻り側接続部４ｂの差込孔５２に間違いなく差し込むことができる。
【００３８】
このようにして、往き配管５の両端部を往き側連結部８ａ及び往き側接続部４ａに正しく接続することができ、戻り配管６の両端部を戻り側連結部８ｂ及び戻り側接続部４ｂに正しく接続することができ、配管接続部材の施工を速やかに完了することができる。
【００３９】
以上の第１実施形態によって発揮される効果について、以下にまとめて記載する。
(1)  第１実施形態における配管接続部材においては、接続部４の端部には面取り部７２を有するキャップ６０が設けられ、該キャップ６０の面取り部７２より内端側には装着溝７３が設けられ、該装着溝７３には往き又は戻りであることを色で示すＣリング１０ｂが装着されている。
【００４０】
このため、往き配管５及び戻り配管６を接続部４に対して接続する場合、配管の接続方向からＣリング１０ｂを容易に視認することができる。そして、Ｃリング１０ｂの色を確認して往き又は戻りであることを認識した後、往き配管５を往き側接続部４ａに接続し、戻り配管６を戻り側接続部４ｂに接続することができる。
【００４１】
従って、第１実施形態の配管接続部材によれば、配管の接続方向からのＣリング１０ｂの視認性を向上させることができ、接続部４に対する往き配管５及び戻り配管６の接続を正確に行うことができる。
【００４２】
(2)  前記キャップ６０の面取り部７２は６面存在し、Ｃリング１０ｂはその周方向の長さが５つの面取り部７２の部分に位置する長さに設定されるとともに、径方向の長さが面取り部７２よりも十分に長くなるように設定されている。このため、配管の接続方向からのＣリング１０ｂの視認性を一層向上させることができる。
【００４３】
(3)  接続部４は、その軸線方向７１が浴槽用循環具１１の軸線方向７０と直交するように構成されている。この場合、配管の接続方向からのＣリング１０ｂの視認性を十分に確保することができる。
【００４４】
(4)  Ｃリング１０ｂはポリアセタール等の合成樹脂で変形可能に形成されていることから、Ｃリング１０ｂをキャップ６０の装着溝７３に装着する場合には、Ｃリング１０ｂの両端部を広げて装着溝７３に簡単に装着することができる。さらに、Ｃリング１０ｂが往きであることを示す場合には赤色に着色され、戻りであることを示す場合には青色に着色されているため、往き又は戻りであることを一目で認識することができる。
（第２実施形態）
次に、本発明を具体化した第２実施形態を図６及び図７に基づいて説明する。この第２実施形態では第１実施形態と異なる部分について主に説明する。
【００４５】
図６及び図７に示すように、往き側接続部４ａ及び戻り側接続部４ｂは、それらの軸線方向７１が浴槽用循環具１１の軸線方向７０と一致するように構成されている。この第２実施形態においては、第１実施形態のような障害物７４はなく、配管の接続方向すなわち浴槽用循環具１１の軸線方向７０からＣリング１０ｂを見ることができる。このため、往き配管５及び戻り配管６を各々往き側接続部４ａ及び戻り側接続部４ｂに接続する場合には、配管の接続方向から見てキャップ６０の面取り部７２の部分から露出したＣリング１０ｂを視認することができる。
【００４６】
従って、第２実施形態によれば、往き配管５及び戻り配管６の接続方向（水平方向）からのＣリング１０ｂの視認性を向上させることができ、往き側接続部４ａ及び戻り側接続部４ｂに対する往き配管５及び戻り配管６の接続を正確に行うことができる。
【００４７】
なお、本実施形態は、次のように変更して具体化することも可能である。
・  前記キャップ６０の面取り部７２を２面以上、例えば２面、４面等に形成することもできる。
【００４８】
・  前記Ｃリング１０ｂを半円状に形成したり、真円に近くなるように形成したりして、その周方向の長さを変更することも可能である。また、Ｃリング１０ｂの厚みを厚くして、その径方向の長さを変更することも可能である。
【００４９】
・  表示部１０を、浴槽用循環具１１の往き側接続部４ａ及び戻り側接続部４ｂの一方のみ、給湯器７の往き側連結部８ａ及び戻り側連結部８ｂの一方のみ、往き配管５及び戻り配管６の一方のみに設けることができる。さらに、そのような表示部１０の形態を適宜組合せて構成することもできる。
【００５０】
・  前記往き側の表示部１０を全て赤色に設定し、戻り側の表示部１０を全て青色に設定し、往き側又は戻り側であることを明瞭に視認することができるように構成することもできる。
【００５１】
・  往き側の表示部１０の色を橙色、桃色等に変更したり、戻り側の表示部１０の色を緑色、紺色等に変更したりすることもできる。また、表示部１０として、ＩＮの文字１０ａ、ＯＵＴの文字１０ａ、螺旋状をなす線、矢印の記号等に変更することができる。
【符号の説明】
【００５２】
３…浴槽、４…接続部、４ａ…往き側接続部、４ｂ…戻り側接続部、４ｃ…接続部を構成する継手、５…往き配管、６…戻り配管、７…給湯器、８…連結部、８ａ…往き側連結部、８ｂ…戻り側連結部、８ｃ…連結部を構成する連結部本体、８ｄ…連結部を構成する継手、１０…表示部、１０ａ…文字、１０ｂ…Ｃリング、１０ｃ…線、１１…浴槽用循環具、１２…側壁、６０…ねじ部材としてのキャップ、７０…浴槽用循環具の軸線方向、７１…接続部の軸線方向、７２…面取り部、７３…装着溝。
【図１】
2011185585.tif 000003
【図２】
2011185585.tif 000004
【図３】
2011185585.tif 000005
【図４】
2011185585.tif 000006
【図５】
2011185585.tif 000007
【図６】
2011185585.tif 000008
【図７】
2011185585.tif 000009